(57)【要約】【課題】ゴルフボールやゴルフクラブ等の汚れを簡単に拭取ることができるクリーナであって、デザイン的にも意匠性の高いものであり、携帯性にも優れ、また拭取った汚れがズボン等に付着しないようにしたゴルフボールクリーナを提供する。【解決手段】所定形状の防水性を有する可撓性カバー材２に、吸水性を有する軟質拭取り材３を重ね合わせ、この重ね合わせた材料２、３の周縁を縁取り材４で縫合すると共に、該重ね合わせた材料２、３の両端付近に互いに着脱自在な一対の係止具５ａ、５ｂを取り付けることによって、前記カバー材２を外側にして二つ折りにした状態を保持するか、又は展開可能にしたものである。【選択図】図４
0003124713.tif 000002
【実用新案登録請求の範囲】
【請求項１】
所定形状の防水性を有する可撓性カバー材に、吸水性を有する軟質拭取り材を重ね合わせ、この重ね合わせた材料の周縁を縁取り材で縫合すると共に、該重ね合わせた材料の両端付近に互いに着脱自在に係合する一対の係止具を取り付けることによって、前記拭取り材を内側にし、前記カバー材を外側にして二つ折りにした状態を保持するか、又は展開可能にしたことを特徴とするゴルフボールクリーナ。
【請求項２】
前記カバー材は防水性を有する合成樹脂材料からなることを特徴とする請求項１記載のゴルフボールクリーナ。
【請求項３】
前記拭取り材は吸水性を有するタオル地からなることを特徴とする請求項１又は２記載のゴルフボールクリーナ。
【請求項４】
前記ゴルフボールクリーナの全体平面形状は楕円形又は円形であることを特徴とする請求項１、２又は３記載のゴルフボールクリーナ。
【請求項５】
前記カバー材の表面に文字、図柄等が表示されたことを特徴とする請求項１、２、３又は４記載のゴルフボールクリーナ。
【考案の詳細な説明】
【技術分野】
【０００１】
本考案は、携帯に便利であり、意匠性にも優れ、プレイ中にゴルフボールやゴルフクラブ等の汚れを簡単に拭取ることができるゴルフボールクリーナに関する。
【背景技術】
【０００２】
ゴルフのプレー中においては、ゴルフボールが泥土で汚れることが多い。このようなゴルフボールの汚れは、飛球方向に影響を与えるため、予め払拭しておく必要がある。特に、グリーン上においては、正確な打球ラインが要求されるため、ゴルフボールの汚れは、丁寧に拭取っておく必要があった。
【０００３】
このため、従来から、濡れタオルを用意して、ゴルフボールやゴルフクラブの汚れを拭取ることが行われているが、通常、このような濡れタオルは、キャディが持参しており、必要な場合にはキャディから濡れタオルを受け取って汚れを拭取ることとなる。ところが、キャディを伴わずにゴルフを行う場合、ゴルフプレイヤーが自ら濡れタオルを持参する必要が生じる。
【０００４】
この場合、プレイヤーは、そのような濡れタオルを腰まわりに引っかけた状態でプレイすることとなるため、ズボン等がタオルの水分で濡れたり、汚れを拭取ることによって濡れタオルが汚れ、見栄えが悪くなり、またその汚れがズボンに付着するという不都合が生じていた。
【０００５】
このような不都合を解消する従来の手段としては、特許文献１に記載されているように、ゴルフボールを袋状の布体に収納した状態でその汚れを払拭するようにした袋状タイプのものや、特許文献２に記載されているように、汚れを拭取った布体を防水性の小型容器に収納するようにした容器収納タイプのもの等が公知である。
【特許文献１】特開２００１−１７０２１８号公報
【特許文献２】特開２００３−０７０９４６号公報
【考案の開示】
【考案が解決しようとする課題】
【０００６】
ところが、上記のゴルフボールの汚れを払拭する従来の用具は、夫々利便なものではあるが、ゴルフ用具として要求されるデザイン性の点では改善の余地が十分に認められる。
【０００７】
その他、ゴルフボールの汚れを拭取る用具としては、その使用にあたって、例えばズボンのベルトやベルト通しに簡単に取付けることができ、ポケットに入れたりする際にも利便であり、また簡単に手にとってゴルフボールの汚れを拭取ることができ、しかも拭取った汚れがズボン等に付着せず、さらには用具自体のデザイン性を優れたものにする必要がある。
【０００８】
本考案は、上記の事情に鑑みてなされたもので、ゴルフボールやゴルフクラブ等の汚れを簡単に拭取ることができるクリーナであって、デザイン的にも意匠性の高いものであり、携帯性にも優れ、また拭取った汚れがズボン等に付着しないようにしたゴルフボールクリーナを提供することを目的とする。
【課題を解決するための手段】
【０００９】
上記の目的を達成するために、本考案の請求項１のゴルフボールクリーナは、所定形状の防水性を有する可撓性カバー材に、吸水性を有する軟質拭取り材を重ね合わせ、この重ね合わせた材料の周縁を縁取り材で縫合すると共に、該重ね合わせた材料の両端付近に互いに着脱自在に係合する一対の係止具を取り付けることによって、前記拭取り材を内側にし、前記カバー材を外側にして二つ折りにした状態を保持するか、又は展開可能にしたことを特徴とする。
【００１０】
また、本考案の請求項２は、請求項１において、前記カバー材は防水性を有する合成樹脂材料からなることを特徴とする。
【００１１】
また、本考案の請求項３は、請求項１又は２において、前記拭取り材は吸水性を有するタオル地からなることを特徴とする。
【００１２】
また、本考案の請求項４は、請求項１、２又は３において、前記ゴルフボールクリーナの全体平面形状は楕円形又は円形であることを特徴とする。
【００１３】
さらに、本考案の請求項５は、請求項１、２、３又は４において、前記カバー材の表面に文字、図柄等が表示されたことを特徴とする。
【考案の効果】
【００１４】
以上のように構成された本考案において、所定形状の防水性を有する可撓性カバー材に、吸水性を有する軟質拭取り材を重ね合わせ、この重ね合わせた材料の周縁を縁取り材で縫合した構成であるため、非常に軽量であり、二つ折りにした状態で平面形状も細長い２分の一となって小型化し、また薄型であるため、極めて携帯性に優れ、ポケットに入れたり、クリップでズボンのベルト通しに取付けたりしても、全くゴルフプレイの妨げにならない。
【００１５】
さらに、二つ折りにした状態では内部の拭取り材が外側の防水性のカバー材で覆われ、拭取り材の水分や汚れがカバー材で隠蔽されるため、拭取り材の水分や汚れがズボン等に付着することもない。さらに、二つ折りの状態では、汚れの付着した拭取り材が外部に露出することもなく、デザイン性の高いカバー材が外側に露呈しているため、外見的にも意匠性の高いものとなる。
【００１６】
さらに、ゴルフボールやゴルフクラブの汚れを拭き取る際には、係止具の係止作用を解除することによって展開状態にできるため、拭取り作業が容易であり、手を外側のカバー材に添えることによって、拭取り材の汚れが手に付着することもなく、衛生的な使用が可能となる。
【考案を実施するための最良の形態】
【００１７】
以下、本考案の実施例について図面を参照しながら説明する。
【実施例１】
【００１８】
本考案によるゴルフボールクリーナ１は、図１〜図３に示すように、所定形状の防水性を有する可撓性カバー材２に、吸水性を有する軟質拭取り材３を重ね合わせ、この重ね合わせた材料２、３の周縁を縁取り材４で縫合すると共に、該重ね合わせた材料２、３の両端付近に互いに着脱自在に係合する一対の係止具５ａ、５ｂを取り付けることによって、拭取り材３を内側にし、カバー材２を外側にして二つ折りにした状態を保持するか、又は展開可能にしたものである。
【００１９】
このような構成のゴルフボールクリーナについて説明する。図１は本考案のゴルフボールクリーナ１のカバー材２を上面にして図示したものであり、図２は本考案のゴルフボールクリーナ１の拭取り材３を上面にして図示したものである。これらのカバー材２と拭取り材３とを楕円形の同一形状にすることによって、本考案によるゴルフボールクリーナ１の平面形状は楕円形となるが、このような形状に限定されることなく、他に、図５に示すような円形の平面形状としてもよい。さらに、平面形状として四角形のほかに他の形状、または何らかの具象的な形状としてもよい。なお、図５に示す円形の平面形状を有するゴルフクリーナ１は、図１〜図４の楕円形のゴルフクリーナ１とは形状が相違するだけで、他は同様の構成を有する。
【００２０】
上記のカバー材２としては、水分が浸透しないように防水性を有すると共に、折り曲げ可能な可撓性材料を使用する必要がある。そのような材料の具体例として、防水性を保有する合成樹脂材料を使用するのが望ましい。例えば、ナイロン製の糸で編んだ布に防水材を塗布した材料やビニール製シートを使用して、防水性と可撓性とを兼ね備えたカバー材２としてもよい。
【００２１】
また、このカバー材２の表面に文字、図柄１０等を表示したシール１１を貼り付けたり、カバー材２の表面に文字、図柄１０等を印刷したりすることにより、広告やスポンサー名等を表示したり、他のデザインを施すことによって、本実施例のゴルフボールクリーナの意匠性を向上することが可能となる。
【００２２】
また、上記の拭取り材３としては、水分を含ませた状態で使用したり、濡れたゴルフボールを拭取ったりするため、吸水性材料を使用する必要がある。さらに、拭取りの際に、ゴルフボールを傷つけたり、ゴルフクラブを傷つけたりすることがないように、軟質材料を使用するのが望ましい。これらの吸水性及び軟質性を備えた材料としては、綿又は合成繊維等によるタオル地が最適であるが、他に不織布等、吸水性及び軟質性を有するものならば使用可能である。
【００２３】
上記のカバー材２と拭取り材３とを楕円形の同一平面形状に形成したものを重ね合わせ、図３に示すように、重ね合わせた材料２、３の周縁を縁取り材４で縫合する。この縁取り材４としては、周知のバイアステープを使用することができる。なお、図３において、９は縫製用糸である。
【００２４】
さらに、上記のように重ね合わせた材料２、３の両端付近に互いに着脱自在に係合する一対の係止具５ａ、５ｂを取り付ける。この係止具５ａ、５ｂとしては、ボタン形状のものであって、互いに着脱自在に嵌合する形態の係止具を使用するほか、周知のマジックテープ（商標名）等を使用してもよい。
【００２５】
ただし、上記の係止具は拭取り材３の側を対面した状態で係止できるように取付け、図４に示すように、本実施例のゴルフボールクリーナ１の拭取り材３を内側にし、カバー材２を外側にして二つ折りにした状態を上記の係止具５ａ、５ｂで保持するか、又は係止具５ａ、５ｂの係止作用を解除して展開可能にする。
【００２６】
このような二つ折りを可能とした構成によって、本実施例のゴルフボールクリーナ１の拭取り材３は二つ折り状態の内側にて対面し、その外側をカバー材２で覆う構成となるため、拭取り材３に含ませた水分や汚れがカバー材２で隠蔽された状態となる。このような二つ折りの形状においては、平面形状も２分の１となって小型化し、携帯性が向上する。
【００２７】
また、上記のように重ね合わせた材料２、３の端部に鳩目金具６を取付け、この鳩目金具６にリング状金具７を介してクリップ８を装着すると、該クリップ８でズボンのベルト通しに止めたり、ズボンのポケットの縁等に止めることができる。
【００２８】
上記の構成による本実施例のゴルフボールクリーナ１を使用するには、予め拭取り材３に水分を含ませておき、プレイヤーが携帯する際、このゴルフボールクリーナ１を二つ折りにした状態にして係止具５ａ、５ｂで止めることにより、この二つ折り状態を保持することにより、平面形状も２分の１となって小型化し、クリップ８でベルト通しに止めたり、ポケットの中に入れたりする際に利便となる。
【００２９】
上記のように本実施例のゴルフボールクリーナ１は非常に軽量な材料で作成され、また、図４に示すように、二つ折りにした状態でも薄型であるため、携行していることがほとんど意識できないほどの携帯性に優れ、ゴルフプレイの妨げにもならない。さらに、二つ折りにした状態の内部にある拭取り材３は外側が防水性のカバー材２で覆われ、拭取り材３の水分や汚れがカバー材２で隠蔽された状態にあるため、拭取り材３の水分や汚れがズボン等に付着することもない。さらに、二つ折りの状態では、汚れの付着した拭取り材３が外部に露出することもなく、デザイン性の高いカバー材２が外観を決定するため、外見的にも意匠性の高いものとなる。
【００３０】
また、ゴルフボールやゴルフクラブの汚れを拭き取る際には、上記の係止具を解除し、展開状態にできるため、拭取り作業が容易であり、また拭取った汚れや水分は外側のカバー材２で浸透性が防止される。さらに、拭取り作業の際、手を外側のカバー材２に添えることによって、拭取り材３の汚れが手に付着することがなく、衛生的な使用が可能となる。
【産業上の利用可能性】
【００３１】
本考案のゴルフボールクリーナは、ゴルフボールやゴルフクラブの汚れを簡単に拭取ることができるゴルフボールクリーナであって、デザイン的にも意匠性の高いものであり、小型薄形状であって携帯性にも優れ、また拭取った汚れや濡れた箇所を外側のカバー材で隠蔽することによってプレイヤーの見栄えを損なうことがないようにし、また拭取った汚れがズボン等に付着しないようにしたゴルフボールクリーナとして利用可能である。
【図面の簡単な説明】
【００３２】
【図１】本考案に係るゴルフボールクリーナのカバー材を上面に向けた平面図である。
【図２】本考案に係るゴルフボールクリーナの拭取り材を上面に向けた平面図である。
【図３】図１のＡ−Ａ線矢視に相当する断面図である。
【図４】本考案に係るゴルフボールクリーナを二つ折りにした状態を示す斜視図である。
【図５】本実施例に係る他の形状（円形）のゴルフボールクリーナを示す平面図である。
【符号の説明】
【００３３】
１  ゴルフボールクリーナ
２  カバー材
３  拭取り材
４  縁取り材
５ａ、５ｂ  係止具
６  鳩目金具
７  リング状金具
８  クリップ
９  縫製用糸
１０  文字、図柄
１１  シール
【図１】
0003124713.tif 000003
【図２】
0003124713.tif 000004
【図３】
0003124713.tif 000005
【図４】
0003124713.tif 000006
【図５】
0003124713.tif 000007